(57)【要約】【課題】監視対象から無線タグが取り外された場合に直ちに異常を検知する。【解決手段】監視対象に無線タグ本体１１を取り付けている取付具２０が切断されると、無線タグ本体１１が識別信号を無線送信しなくなる。【効果】監視対象から無線タグ本体１１が取り外されると、識別信号を受信できなくなるため、直ちに異常を検知できる。また、無線タグ本体１１を取り付けた監視対象者が逃走すると、無線タグ本体１１が無線送信する識別信号を受信できなくなるため、逃走を検知できる。【選択図】図５
2006227809.tif 000002
【特許請求の範囲】
【請求項１】
識別信号を無線送信する無線タグ本体と、前記無線タグ本体を監視対象に取り付けるための取付具とを具備してなり、前記無線タグ本体は、前記取付具による監視対象への取付状態が正常なら識別信号を無線送信すると共に異常なら前記識別信号の正常な無線送信を行わないことを特徴とする無線タグ。
【請求項２】
請求項１に記載の無線タグにおいて、前記無線タグ本体は、電池と、電波送信回路とを具備し、前記取付具は、前記電池から前記電波送信回路へ電力を供給するための給電路を具備し、前記無線タグ本体が前記取付具で監視対象に正常に取り付けられた状態では前記取付具の給電路を通じて前記電池から前記電波送信回路へ電力が供給されることを特徴とする無線タグ。
【請求項３】
請求項２に記載の無線タグにおいて、前記無線タグ本体は、前記取付具の給電路が一旦切断された後で再び接続されても識別信号の正常な無線送信を行わないことを特徴とする無線タグ。
【請求項４】
請求項２または請求項３に記載の無線タグにおいて、前記無線タグ本体は前記電池から前記電波送信回路へ電力を供給するための給電路を具備し、前記無線タグ本体が前記取付具で監視対象に取り付けられる前の状態では前記無線タグ本体の給電路を通じて前記電池から前記電波送信回路へ電力が供給され、前記無線タグ本体の給電路は前記無線タグ本体が前記取付具で監視対象に取り付けられた状態では切断されてしまうことを特徴とする無線タグ。
【請求項５】
請求項１から請求項４のいずれかに記載の無線タグと、前記無線タグからの前記識別信号を受信するための無線受信手段と、前記無線受信手段で前記識別信号を正常に受信できたならば前記無線受信手段の受信領域内に前記受信できた識別信号に対応する前記無線タグが正常に存在すると判定すると共に前記無線受信手段で前記識別信号を正常に受信できなかったならば前記無線受信手段の受信領域内に前記受信できなかった識別信号に対応する前記無線タグが存在しないか又は存在しても異常が生じていると判定する判定手段とを具備することを特徴とする監視装置。
【発明の詳細な説明】
【技術分野】
【０００１】
本発明は、無線タグおよび監視装置に関し、さらに詳しくは、監視対象の存否を監視するための無線タグおよび監視装置に関する。
【背景技術】
【０００２】
従来、識別信号を無線送信する無線タグと、その無線タグから無線送信される識別信号の強さが閾値以下になると盗難信号を発生する盗難監視装置とからなる盗難監視システムが知られている。すなわち、移動者が携行する携行品に無線タグを取り付けておくと共に携行品とは別に盗難監視装置を移動者が携帯する。移動者に気付かれないで携行品が持ち去られつつあると、盗難監視装置から無線タグが遠ざかるため盗難監視装置で受信される無線タグからの識別信号の強さが閾値以下に弱まり、盗難信号が発生される。そこで、移動者が異常に気付くことが出来る（例えば、特許文献１参照。）。
【０００３】
【特許文献１】特開２００４−２４０８５７号公報
【発明の開示】
【発明が解決しようとする課題】
【０００４】
上記盗難監視システムでは、携行品から無線タグを取り外して残し、携行品だけを持ち去ると、盗難監視装置から無線タグまでの距離が大きくならないため盗難監視装置で受信される識別信号の強さが閾値以下にならず、盗難信号が発生されない。そこで、移動者が異常に気付くことが出来ない問題点がある。
そこで、本発明の目的は、監視対象から無線タグが取り外された場合に直ちに異常を検知できるようにした無線タグおよび監視装置を提供することにある。
【課題を解決するための手段】
【０００５】
第１の観点では、本発明は、識別信号を無線送信する無線タグ本体と、前記無線タグ本体を監視対象に取り付けるための取付具とを具備してなり、前記無線タグ本体は、前記取付具による監視対象への取付状態が正常なら識別信号を無線送信すると共に異常なら前記識別信号の正常な無線送信を行わないことを特徴とする無線タグを提供する。
上記第１の観点による無線タグでは、監視対象から無線タグを取り外すように手が加えられて取付状態が正常でなくなると、無線タグ本体が識別信号の正常な無線送信を行わなくなる。従って、監視対象の異常に気付くことが出来る。
【０００６】
第２の観点では、本発明は、上記第１の観点による無線タグにおいて、前記無線タグ本体は、電池と、電波送信回路とを具備し、前記取付具は、前記電池から前記電波送信回路へ電力を供給するための給電路を具備し、前記無線タグ本体が前記取付具で監視対象に正常に取り付けられた状態では前記取付具の給電路を通じて前記電池から前記電波送信回路へ電力が供給されることを特徴とする無線タグを提供する。
上記第２の観点による無線タグでは、監視対象から無線タグを取り外すために取付具が外されたり破壊されたりすると、給電路が切断されるため、電池から電波送信回路への電力供給が遮断され、識別信号の無線送信が停止する。従って、異常に気付くことが出来る。
【０００７】
第３の観点では、本発明は、上記第２の観点による無線タグにおいて、前記無線タグ本体は、前記取付具の給電路が一旦切断された後で再び接続されても識別信号の正常な無線送信を行わないことを特徴とする無線タグを提供する。
上記第３の観点による無線タグでは、監視対象から無線タグを取り外すために取付具が外されたり破壊されたりした後、再び付けられたり修復されたりしても、識別信号の正常な無線送信を復活しないので、異常に気付くことが出来る。
【０００８】
第４の観点では、本発明は、上記第２または上記第３の観点による無線タグにおいて、前記無線タグ本体は前記電池から前記電波送信回路へ電力を供給するための給電路を具備し、前記無線タグ本体が前記取付具で監視対象に取り付けられる前の状態では前記無線タグ本体の給電路を通じて前記電池から前記電波送信回路へ電力が供給され、前記無線タグ本体の給電路は前記無線タグ本体が前記取付具で監視対象に取り付けられた状態では切断されてしまうことを特徴とする無線タグを提供する。
上記第４の観点による無線タグでは、無線タグ本体を取付具で監視対象に取り付ける前でも無線タグ本体が識別信号の無線送信を行うので、監視対象に取り付ける前に無線タグ本体の正常動作を確認することが出来る。なお、取付具で監視対象に取り付けた後は、無線タグ本体の給電路が切断されてしまうため、監視対象から無線タグを取り外すために取付具が外されたり破壊されたりして取付具の給電路が切断されると、電池から電波送信回路への電力供給が遮断され、識別信号の無線送信が停止する。従って、異常に気付くことが出来る。
【０００９】
第５の観点では、本発明は、上記第１から上記第４のいずれかの観点による無線タグと、前記無線タグからの前記識別信号を受信するための無線受信手段と、前記無線受信手段で前記識別信号を正常に受信できたならば前記無線受信手段の受信領域内に前記受信できた識別信号に対応する前記無線タグが正常に存在すると判定すると共に前記無線受信手段で前記識別信号を正常に受信できなかったならば前記無線受信手段の受信領域内に前記受信できなかった識別信号に対応する前記無線タグが存在しないか又は存在しても異常が生じていると判定する判定手段とを具備することを特徴とする監視装置を提供する。
上記第５の観点による監視装置では、上記構成の無線タグを用いるため、物品の盗難や動物の逃走を監視することが出来る。
【発明の効果】
【００１０】
本発明の無線タグによれば、監視対象から無線タグが取り外された場合に直ちに異常を検知できる。例えば、監視対象が物品の場合に、物品から無線タグを取り外して残し、物品だけを持ち去ろうとしても、無線タグを取り外した時点で異常に気付くことが出来る。また、監視対象が人や動物の場合に、無線タグを取り外して残し、逃走しようとしても、無線タグを取り外した時点で異常に気付くことが出来る。
【発明を実施するための最良の形態】
【００１１】
以下、図に示す実施例により本発明をさらに詳細に説明する。なお、これにより本発明が限定されるものではない。
【実施例１】
【００１２】
図１は、実施例１に係る無線タグ１０を示す外観図である。
この無線タグ１０は、識別信号を無線送信する無線タグ本体１１と、無線タグ本体１１を監視対象者の手首に取り付けるための取付具２０とを具備してなる。
【００１３】
無線タグ本体１１は、コネクタ穴１２ａ，１２ｂと、ビス穴１３ａ，１３ｂとを有している。
取付具２０は、リストバンド２１と、コネクタ２２ａ，２２ｂと、ビス穴２３ａ，２３ｂと、ビス２４ａ，２４ｂとを有している。
【００１４】
図２は、実施例１に係る無線タグ１０を示す回路図である。
無線タグ本体１１は、識別信号を電波で送信する電波送信回路１と、電波送信回路１を制御するマイコン２と、マイコン２に電力を供給すると共にワイヤ部５ａおよびワイヤ部５ｂの並列回路を介して電波送信回路１に電力を供給するボタン電池３とを具備している。
取付具２０は、コネクタ２２ａから突き出たコンタクト２５ａと、コネクタ２２ｂから突き出たコンタクト２５ｂと、リストバンド２１に内蔵されてコンタクト２５ａとコンタクト２５ｂとを接続する導線２５とを具備してなる。
【００１５】
無線タグ本体１１は、取付具２０で監視対象者に取り付けられる前でも識別信号の無線送信を行うので、監視対象者に取り付ける前に正常動作を確認することが出来る。
【００１６】
図３は、監視対象者の手首Ｗに無線タグ１０を取り付けた状態を示す外観図である。
取付具２０のリストバンド２１が監視対象者の手首Ｗに巻き付けられ、取付具２０のコネクタ２２ａが無線タグ本体１１のコネクタ穴１２ａに挿入されてビス２４ａで固定され、取付具２０のコネクタ２２ｂが無線タグ本体１１のコネクタ穴１２ｂに挿入されてビス２４ｂで固定されている。
【００１７】
図４は、取付具２０のコネクタ２２ｂを無線タグ本体１１のコネクタ穴１２ｂに挿入してビス２４ｂで固定し、取付具２０のコネクタ２２ａは無線タグ本体１１のコネクタ穴１２ａに挿入していない状態の回路図である。
コネクタ２２ｂから突き出たコンタクト２５ｂが無線タグ本体１１のワイヤ部５ｂを切断しているが、無線タグ本体１１のワイヤ部５ａは切断されていない。したがって、ボタン電池３は、無線タグ本体１１のワイヤ部５ａを介して、電波送信回路１に電力を供給している。このため、無線タグ本体１１は識別信号の無線送信を行っている。
【００１８】
図５は、さらに取付具２０のコネクタ２２ａを無線タグ本体１１のコネクタ穴１２ａに挿入してビス２４ａで固定した状態すなわち監視対象者の手首Ｗに無線タグ１０を取り付けた状態での回路図である。
コネクタ２２ａから突き出たコンタクト２５ａが無線タグ本体１１のワイヤ部５ａを切断し、コネクタ２２ｂから突き出たコンタクト２５ｂが無線タグ本体１１のワイヤ部５ｂを切断している。しかし、ボタン電池３は、取付具２０の導線２５を介して、電波送信回路１に電力を供給している。このため、無線タグ本体１１は、取付具２０で監視対象者に取り付けられた後も識別信号の無線送信を行っている。
【００１９】
図６は、取付具２０が破壊された状態での回路図である。
切断部Ｐで取付具２０の導線２５が切断されたため、電波送信回路１に電力が供給されなくなる。このため、無線タグ本体１１は、識別信号を無線送信できなくなる。
【００２０】
図７は、コネクタ２２ａが外された状態での回路図である。
無線タグ本体１１のワイヤ部２５ａ，２６ｂは切断されており、取付具２０の導線２５も外れているため、電波送信回路１に電力が供給されなくなる。このため、無線タグ本体１１は、識別信号を無線送信できなくなる。
【００２１】
図８は、無線タグ本体１１におけるマイコン２による識別信号送信制御処理を示すフロー図である。
ステップＰ１では、識別信号を電波送信するように電波送信回路１に指示する。電波送信回路１に給電されていれば、識別信号が電波送信される。
【００２２】
ステップＰ２では、電波送信回路１に供給されている電圧Ｖｓを測定し、電圧Ｖｓが所定値以上ならステップＰ３へ進み、所定値より低いならステップＰ４へ進む。これにより、例えば図５の状態から図７のように片方のコネクタが一旦抜かれた後、図５の状態に戻された場合は、ステップＰ４へ進むことになる。
【００２３】
ステップＰ３では、前回の送信から所定時間（例えば１秒間）経過してないならステップＰ２に戻り、経過したならステップＰ１に戻る。これにより、所定時間毎に識別信号が電波送信されることになる。
【００２４】
ステップＰ４では、異常信号を電波送信するように電波送信回路１に指示することを繰り返す。電波送信回路１に給電されていなければ何も電波送信されないが、例えば図５の状態から図７のように片方のコネクタが一旦抜かれてた後、図５の状態に戻された場合は、電波送信回路１に再給電されるため、異常信号が繰り返し電波送信されることになる。
【実施例２】
【００２５】
図９は、実施例２に係る監視装置１００を示す構成図である。
この監視装置１００は、それぞれユニークな識別番号ｋを表す識別信号または異常信号を電波送信する実施例１の無線タグ１０−１，１０−２，…と、受信領域Ａ内の無線タグ１０からの識別信号または異常信号を受信するための無線受信機５０と、無線受信機５０で識別信号を正常に受信できたならば該正常に受信できた識別信号に対応する無線タグ１０が受信領域Ａ内に正常に存在すると判定し且つ識別信号を正常に受信できないなら該識別信号に対応する無線タグ１０が受信領域Ａ内に存在していないと判定し且つ異常信号を受信すると該異常信号に対応する無線タグ１０が受信領域Ａ内に存在しているが何らかの異常があったと判定する判定処理機６０とを具備している。
【００２６】
受信領域Ａは例えば作業場であり、無線タグ１０は監視対象者の手首に取り付けられている。
これにより、監視装置１００によって、監視対象者の逃走や無線タグ１０への攻撃を好適に監視することが出来る。
【産業上の利用可能性】
【００２７】
本発明の無線タグおよび監視装置は、物品の盗難や、人や動物の逃走を監視するのに利用できる。
【図面の簡単な説明】
【００２８】
【図１】監視対象に取り付ける前の、実施例１に係る無線タグを示す斜視図である。
【図２】監視対象に取り付ける前の、実施例１に係る無線タグを示す回路図である。
【図３】監視対象に取り付けた後の、実施例１に係る無線タグを示す斜視図である。
【図４】監視対象に取り付ける途中の、実施例１に係る無線タグを示す回路図である。
【図５】監視対象に取り付けた後の、実施例１に係る無線タグを示す回路図である。
【図６】監視対象に取り付けた後、取付具が切断された状態の、実施例１に係る無線タグを示す回路図である。
【図７】監視対象に取り付けた後、片方のコネクタが抜かれた状態の、実施例１に係る無線タグを示す回路図である。
【図８】無線タグ本体における識別信号送信制御処理を示すフローチャートである。
【図９】実施例２に係る監視装置を示す構成図である。
【符号の説明】
【００２９】
１                      電波送信回路
２                      マイコン
３                      ボタン電池
４ａ，４ｂ              ワイヤ部
１０，１０−１，…      無線タグ
１１                    無線タグ本体
２０                    取付具
２１                    リストバンド
２２ａ，２２ｂ          コネクタ
５０                    無線受信機
６０                    判定処理機
１００                  監視装置
Ａ                      受信領域
【図１】
2006227809.tif 000003
【図２】
2006227809.tif 000004
【図３】
2006227809.tif 000005
【図４】
2006227809.tif 000006
【図５】
2006227809.tif 000007
【図６】
2006227809.tif 000008
【図７】
2006227809.tif 000009
【図８】
2006227809.tif 000010
【図９】
2006227809.tif 000011